(57)【要約】【課題】  従来飛散尿滴で確実に汚染されるのに洗浄されずに残されてきた、ボール部周壁上端面から受面部の側壁の端縁部分を洗浄水の便器外流出のない構成で洗浄可能とし非洗浄域を無くした水洗小便器の提供。【解決手段】  受面部の側壁の端縁を上面より見てボール部内に位置させることにより、端縁に付着し流下する尿滴も端縁を洗浄した洗浄水も確実にボール部内に収容する。例えば、端縁を含む側壁の少なくとも一部をボール部内に位置させるか、前記側壁の一部を外側から取り囲む側壁包囲部をボール部周壁に設けるか、または前記側壁の一部をボール部周壁より内方に湾曲させるか、のいずれかの方策を採る。【選択図】    図２Ａ
2010101117.tif 000002
【特許請求の範囲】
【請求項１】
内部に排水口を有するボール部と、使用者の排尿を受けて尿や洗浄水をボール部内に流す受面部と、受面部とボール部に洗浄水を供給する給水装置とを含む水洗小便器において、受面部側壁の少なくとも一部を平面図においてボール部内に位置させることを特徴とする水洗小便器。
【請求項２】
受面部側壁の端縁の少なくとも一部を、平面図においてボール部周壁の内側に位置させることを特徴とする、請求項１記載の水洗小便器。
【請求項３】
受面部側壁もしくは端縁の少なくとも一部の下端を、側面図においてボール部周壁上端面より下方に位置させることを特徴とする、請求項１または２記載の水洗小便器。
【請求項４】
受面部側壁もしくは端縁の少なくとも一部の下端を、側面図においてボール部周壁上端面より上方に位置させることを特徴とする、請求項１または２記載の水洗小便器。
【請求項５】
ボール部周壁が、受面部側壁もしくは端縁の少なくとも一部を外側から取り囲む側壁包囲部を含むことを特徴とする、請求項１〜４いずれかに記載の水洗小便器。
【請求項６】
ボール部周壁の側壁包囲部は、受面部側壁もしくは端縁の少なくとも上下方向の一部または全部を包囲することを特徴とする、請求項５記載の水洗小便器。
【請求項７】
受面部側壁もしくは端縁の少なくとも一部を略水平方向にボール部周壁から切離してボール部内方に湾曲させることにより、ボール部内に位置させることを特徴とする、請求項１〜６いずれかに記載の水洗小便器。
【請求項８】
受面部は上端を下端より大径に形成され、下端において受面部側壁もしくは端縁の少なくとも一部を平面図においてボール部内に位置させることを特徴とする、請求項１〜７いずれかに記載の水洗小便器。
【請求項９】
ボール部周壁上端面とほぼ平行に周壁のほぼ全周に亘って内方下向きに開口する収水路をボール部周壁上端面より下方に配置し、排尿時にボール部周壁上端面に飛散し周壁外周面より流下する尿滴をボール部内もしくは排水系内に収容可能としたことを特徴とする請求項１〜８いずれかに記載の水洗小便器。
【請求項１０】
給水装置を含む洗浄系はボール部の開口を囲む周壁の上端部に沿って延設される通水路と、通水路の全長において通水路内部と連通して上端部のほぼ全長の表面に開口する溢水口とを含み、通水路に供給される洗浄水は溢水口から溢水して上端部表面を洗浄する水膜流を形成し、排水口を含む排水系は溢水口に続く上端部表面から溢水水膜流を流下させる上端部の内周壁および外周壁の双方又はいずれか一方を含み、排水系に含まれる外周壁は少なくとも通水路より下で内方に引込まれることにより溢水口の全長に沿い開口して外周壁を流下する水膜流を収容しかつ排水口又はトラップに導く収水路を備えることを特徴とする請求項１〜９いずれかに記載の水洗小便器。  
【請求項１１】
ボール部周壁は、その前方部から少なくとも受面部側壁の端面を越える位置まで、ボール部周壁の上端面とほぼ平行に内方下向きに開口する収水路を、ボール部周壁上端面より下方に備え、排尿時にボール部周壁上端面に飛散し周壁外周面より流下する尿滴を収水路によりボール部内に収容可能としたことを特徴とする、請求項１〜９のいずれかに記載の水洗小便器。
【請求項１２】
給水装置は、受面部の上端部およびボール部の上部周壁の上端部に設けられた溢水口を有する給水路でなり、ボール部周壁の上端部からは給水路の洗浄水を溢水口から内周面側と外周面側の双方に水膜流として溢水させて内外両周面を洗浄させ、外周面側を流下する洗浄水の水膜流はボール部周壁上端面より下方に設けられた周壁の上端面とほぼ平行で内方下向きの収水路によりボール部内に収容され、受面部上端部には、受面部側壁端部を含めて使用者立ち位置から小便器内に尿滴が飛散し付着しうる全ての壁面に洗浄水を流す水路を設けることで、小便器内に飛散尿滴の全てを洗浄可能としたことを特徴とする、請求項１１記載の水洗小便器。
【請求項１３】
給水装置は受面部側壁の各端面に沿って洗浄水を流下させる端面流下手段と、受面部上端部の一方の側壁部分より受面部内面に洗浄水を吐出する吐出手段とを備え、吐出手段は受面部上端部の一方の側壁部より受面部内周面に沿って他方の側壁部まで洗浄水を旋回吐出させることを特徴とする、請求項１〜１２のいずれかに記載の水洗小便器。
【請求項１４】
給水手段は受面部側壁の各端面に沿って洗浄水を流下させる端面流下手段と、受面部側壁の各端面の内側から受面部内周面に沿って互いに対向する洗浄水を吐出する対向流吐出手段とを備え、対向洗浄水流は受面部の略中央で合流してボール部に流れることを特徴とする、請求項１〜１２のいずれかに記載の水洗小便器。
【発明の詳細な説明】
【技術分野】
【０００１】
この発明は水洗小便器に関し、特に個人住宅や各種の公共施設において用いられる水洗小便器に関する。
【背景技術】
【０００２】
従来の水洗小便器において、使用者の排尿は水洗小便器の正面に立設された受面部を流下して受面部下方に続くボール部の排水口から排出され、受面部はその上部から供給される洗浄水により洗浄されるが、排尿中や排尿終了後に飛散する尿滴はボール部開口の上端面やボール部より連続して立設され使用者の排尿を受ける受面部両端の縁部や端面などに残る。つまり、水洗小便器のボール部開口の上端面や受面部側壁の端面においては、洗浄水が便器外に流出する危険があるため、洗浄水が供給されず、非洗浄域あるいは洗浄不能域が発生してしまう。
【０００３】
そこで、小便器使用後に小便器の外面のみならずその周囲の床面までも洗浄するように構成したトイレットブースが提案されており（特許文献１）, 参照小便器の左右の壁面に設けた複数の吐水口から小便器の外面と周囲の床面に水を吹き付けて洗浄する。しかし、この全面的洗浄方式は近年の節水型志向には適合しない。
【０００４】
床置き型の小便器ではあるが、受面部を形成する主便器の両側壁前面に流水用樋を形成し、側壁前面を洗浄させた後、下端中央で主便器内に集めた流水を、洗浄機能と排水口を持つ足元受皿に流す構成が提案されている（特許文献２参照）。しかし、この提案における流水用樋は溝であるため、溝の両側には依然として洗浄不能な前面が残る。
【０００５】
小便器の特にボール部周壁の上端面に落下し付着する以前に尿滴を気流で捉え、便器内に導く構成も提案されている(特許文献3)。しかしこの方式はボール部周壁の一部分の汚れ対策としては有効だが小便器全体の防汚を確実にするものではなく、受面部側壁の縁部等への飛散尿滴全てを捕捉することは難しく洗浄水供給に加えて空気圧縮装置を備える必要があり、コストを高くすることともなる。
【０００６】
【特許文献１】実開平３−１２５８７５号公報
【特許文献２】特開２００４−３１６２１１号公報
【特許文献３】特開２００５−３３０７８９号公報
【発明の開示】
【発明が解決しようとする課題】
【０００７】
上記の従来例に見られるように、水洗小便器のボール部周壁と受面部側壁についての非洗浄域を、効率的でしかも経済的に洗浄する方策はいまだ提案されていない。また近時は、水洗便器全般において節水型が主流となり、小便器においては受面部の上部中央に配置したスプレッダーから下方の受面部全域に向けて、水膜状の急流として洗浄水を供給する方式が多く採用され、小便器自体もボール部周壁と受面部側壁を薄手とすると共にその縁部も断面において小径の半円形とすることにより、飛散尿滴が付着しにくくなるようにしている。しかし、側壁内面に拡がった洗浄水をボール部内面に沿ってその前方部分先端まで流す方策は採られているが、受面部側壁端面に洗浄水を運べば外部への流出の問題を生じるため、側壁端面を洗浄可能とするには到っていない。
【０００８】
したがって本発明は、小便器使用時に尿滴が飛散する受面部全面を容易に洗浄可能とし、受面部側壁の端面をも効率的かつ経済的に、しかも外部への流出なく洗浄できるようにした水洗小便器を提供することを目的とする。
【課題を解決するための手段】
【０００９】
上記の目的を達成するために、請求項１に係る本発明の水洗小便器は、内部に排水口を有するボール部と、使用者の排尿を受けて尿や洗浄水をボール部内に流す受面部と、受面部とボール部の内面に洗浄水を供給する給水装置とを含む水洗小便器において、受面部側壁の少なくとも一部を平面図においてボール部内に位置させることを特徴とする。
請求項２に係る本発明は、請求項１記載の水洗小便器において、受面部側壁の端縁の少なくとも一部を、平面図においてボール部周壁の内側に位置させることを特徴とする。
請求項３に係る本発明は、請求項１または２記載の水洗小便器において、受面部側壁もしくは端縁の少なくとも一部の下端を、側面図においてボール部周壁上端面より下方に位置させることを特徴とする。
請求項４に係る本発明は、請求項１または２記載の水洗小便器において、受面部側壁もしくは端縁の少なくとも一部の下端を、側面図においてボール部周壁上端面より上方に位置させることを特徴とする。
請求項５に係る本発明は、請求項１〜４いずれかに記載の水洗小便器において、ボール部周壁が、受面部側壁もしくは端縁の少なくとも一部を外側から取り囲む側壁包囲部を含むことを特徴とする。
請求項６に係る本発明は、請求項５記載の水洗小便器において、ボール部周壁の側壁包囲部は、受面部側壁もしくは端縁の少なくとも上下方向の一部または全部を包囲することを特徴とする。
請求項７に係る本発明は、請求項１〜６いずれかに記載の水洗小便器において、受面部側壁もしくは端縁の少なくとも一部を、略水平方向にボール部周壁から切離してボール部内方に湾曲させることにより、ボール部内に位置させることを特徴とする。
請求項８に係る本発明は、請求項１〜７いずれかに記載の水洗小便器において、受面部が上端を下端より大径に形成され、下端において受部側壁もしくは端縁の少なくとも一部を平面図においてボール部内に位置させることを特徴とする。
請求項９に係る本発明は、請求項１〜８いずれかに記載の水洗小便器において、ボール部周壁上端面とほぼ平行に周壁のほぼ全周に亘って内方下向きに開口する収水路をボール部周壁上端面より下方に配置し、排尿時にボール部周壁上端面に飛散し周壁外周面より流下する尿滴をボール部内もしくは排水系内に収容可能としたことを特徴とする。
請求項１０に係る本発明は、請求項１〜８いずれかに記載の水洗小便器において、給水装置を含む洗浄系がボール部の開口を囲む周壁の上端部に沿って延設される通水路と、通水路の全長において通水路内部と連通して上端部のほぼ全長の表面に開口する溢水口とを含み、通水路に供給される洗浄水は溢水口から溢水して上端部表面を洗浄する水膜流を形成し、排水口を含む排水系が溢水口に続く上端部表面から溢水水膜流を流下させる上端部の内周壁および外周壁の双方又はいずれか一方を含み、排水系に含まれる外周壁は少なくとも通水路より下で内方に引込まれることにより溢水口の全長に沿い開口して外周壁を流下する水膜流を収容しかつ排水口又はトラップに導く収水路を備えることを特徴とする。
請求項１１に係る本発明は、請求項１〜９のいずれかに記載の水洗小便器において、ボール部周壁がその前方部から少なくとも受面部側壁の端面を越える位置まで、ボール部周壁の上端面とほぼ平行に内方下向きに開口する収水路を、ボール部周壁上端面より下方に備え、排尿時にボール部周壁上端面に飛散し周壁外周面より流下する尿滴をボール部内に収容可能としたことを特徴とする。
請求項１２に係る本発明は、請求項１１記載の水洗小便器において、給水装置が、受面部の上端部およびボール部の上部周壁の上端部に設けられた溢水口を有する給水路でなり、ボール部周壁の上端部からは給水路の洗浄水を溢水口から内周面側と外周面側の双方に水膜流として溢水させて内外両周面を洗浄させ、外周面側を流下する洗浄水の水膜流は周壁上端面より下方に設けられた周壁の上端面とほぼ平行で内方下向きの収水路によりボール部内に収容され、受面部上端部には、受面部側壁端部を含めて使用者立ち位置から小便器内に飛散し付着しうる全ての受面部壁面に洗浄水を流す水路を設けることで、小便器内に飛散尿滴の全てを洗浄可能としたことを特徴とする。
請求項１３に係る本発明は、請求項１〜１２のいずれかに記載の水洗小便器において、給水装置が受面部側壁の各端面に沿って洗浄水を流下させる端面流下手段と、受面部上端部の一方の側壁部分より受面部内面に洗浄水を吐出する吐出手段とを備え、吐出手段は受面部上端部の一方の側壁部より受面部内周面に沿って他方の側壁部まで洗浄水を旋回吐出させることを特徴とする。
請求項１４に係る本発明は、請求項１〜１２のいずれかに記載の水洗小便器において、
給水装置が受面部側壁の各端面に沿って洗浄水を流下させる端面流下手段と、受面部側壁の各端面の内側から受面部内周面に沿って互いに対向する洗浄水を吐出する対向流吐出手段とを備え、対向洗浄水流は受面部の略中央で合流してボール部に流れることを特徴とする。    
【発明の効果】
【００１０】
本発明による水洗小便器においては、受面部側壁もしくは受面部側壁の端縁の少なくとも一部または全部を上面より見てボール部周壁の内側に位置させる。つまり、ボール部周壁が受面部側壁の一部または全部を外側から包囲するようにするか、側壁の当該部分をボール部周壁から分離してボール部内方に湾曲させることによって、受面部側壁もしくは端縁の一部または全部がボール部内に位置することとなり、側壁の外側において上方に開き、下方においてボール部内に通じる空間が作られる。したがって受面部側壁の両端部付近、従来は非洗浄となっている部分を含めた受面部全面に洗浄水を流下させても、洗浄水は確実にボール部内に収容される。また、ボール部周壁をボール部周壁上端面より下方に設けられた周壁の上端面とほぼ平行で内方下向きの収水路によって上部周壁と下部周壁に分けた場合には、ボール部周壁上端面に飛着して周壁外周面より流下する尿滴は収水路を経てボール部内に収容され、あるいは上端部上面から外周面に向かう洗浄水の水膜流を供給することによって、洗浄水の水膜流は上端面と外周面を洗浄して収水路からボール部内に収容される。したがって、本発明によれば、受面部側壁の端面や受面部側壁の両端部付近、従来は非洗浄となっている部分を含めた受面部全面に洗浄水を流下させても、洗浄水は確実にボール部内に収容され非洗浄域をなくすことができる。更に、ボール部周壁がその前方部から少なくとも受面部側壁先端の端面部分を越える位置まで、ボール部周壁の上端面とほぼ平行に内方下向きに開口する収水路を、ボール部周壁上端面より下方に備えることによって、ボール部周壁上端面に尿滴の飛散があった場合にも、ボール部周壁上端面に付着の尿滴には収水路による収水の効果が発揮される。
【発明を実施するための最良の形態】
【００１１】
以下、添付の図面を参照して本発明の実施例を説明する。
【実施例１】
【００１２】
本発明の特徴の典型を表す実施例１における水洗小便器は図１Ａの平面図で示すように、内部に排水口１を有し、上方に開口するボール部２とボール部２を囲む周壁３と、使用者の立ち位置ａから見て正面に位置する受面部４を含むが、その形状は図示のものに限定されない。受面部４はボール部周壁３の正面部の略中央にボール部より連続して立設されて使用者の排尿を受けるが、その形状も図示のものに限定されず、上面より見て半円形状、放物線状、Ｖ字状、Ｕ字状、コ字状等のいずれの形状でも良い。要は、上方より見て、受面部４の側壁４ａ、４ｂの端面４ｃ，４ｄに続く端縁４ｅ、４ｆがボール部２の内方に位置することである。換言すれば、平面図で表した時、ボール部周壁３が、受面部４の側壁端面４ｃ，４ｄとそれに続く端縁４ｅ、４ｆとを、外側に離れて包囲する部分３ａ，３ｂを含むように構成することである。
【００１３】
図１Ｂにおいて、図１Ａに書き加えた点線矢印Ａ、Ｂ、Ｃは使用者立ち位置ａからの飛散尿滴の平面図上の軌跡の一例を示し、図１Ｃの典型的な従来タイプの水洗小便器の飛散尿滴の軌跡と比較する。図１Ｃの場合には、この飛散尿滴によって受面部側壁４ａ，４ｂの端縁４ｅ，４ｆに続く端面４ｃ，４ｄや受面部側壁の両端部付近の内周面が汚れても洗浄水の小便器外への流出の恐れから洗浄が難しく、非洗浄域が容易に発生することも示されている。しかし図１Ａの本発明の構成によればこの非洗浄域の端面４ｃ，４ｄや受面部側壁下端がボール部２の内方に位置しており、この領域を洗浄した洗浄水は確実にボール部内に落下することも明らかである。ここで、受面部側壁４ａ，４ｂの端面４ｃ，４ｄからそれに続く部分の下端が、側面より見て、ボール部周壁３の上端面より上であるか下であるかは、この部分から落下する水は平面図においてボール部内である以上、問題とはならず、いずれの高さとした場合も本発明の範囲内となる。
【実施例２】
【００１４】
図２Ａないし図２Ｂにおいて、本発明による実施例２の水洗小便器１０は、上方に開口するとともに底部に排水口１１を有するボール部１２と、ボール部１２の正面部分においてボール部から略直立して使用者の排尿を受ける受面部１４と、受面部１４の両側側面にほぼ直立して伸びる側壁１４ａ，１４ｂと、例えば受面部１４の上部に取付けて受面部１４と側壁１４ａ，１４ｂの内周面に洗浄水の水膜流を供給する給水装置１５とよりなる。尚、給水装置１５の形態を図ではスプレッダーとしたが、その形状や形態は図示のものに限定されず、受面部側壁端面を含めて使用者立ち位置から尿滴が飛散し得る小便器の全ての面に洗浄水を流す水路を設けることとする。
【００１５】
本発明の特徴として、ボール部周壁１３は受面部の側壁１４ａ，１４ｂの端縁１４ｅ、１４ｆを外側から取り囲む側壁包囲部１３ａ，１３ｂを備える。この場合、ボール部周壁１３は、その上端部１３ｃをボール部前方部分から側壁端縁１４ｅ、１４ｆの外側に延ばし、端縁１４ｅ，１４ｆの外面から離間して更に延ばした後、側壁下端ならびにボール部周壁と一体にするようにして、側壁包囲部１３ａ，１３ｂを形成する。一方、側壁包囲部１３ａ，１３ｂで囲まれた側壁端縁１４ｅ、１４ｆの下端はボール部周壁上端部１３ｃより下方に延びるが、ボール部周壁１３の内面とは分離される。したがって側壁包囲部１３ａ，１３ｂは端縁１４ｅ、１４ｆの側壁１４ａ，１４ｂの外面に沿って上方に開き、下方においてボール部１２の内部に連通する空間を形成する。つまり、端面１４ｃ，１４ｄを含む側壁１４ａ，１４ｂの一部は、平面図において、あるいは上面より見てボール部１２の内方に位置し、側壁外面はボール部内部に連通することとなる。
【００１６】
このように側壁包囲部１３ａ，１３ｂが側壁外面に沿って形成するボール部内との連通空間と側壁端縁１４ｅ、１４ｆまでの側壁は、側壁端縁１４ｅ、１４ｆないし側壁１４ａ，１４ｂ内側受面部に飛散する尿滴を捕捉し、確実にボール部内部に収容し、便器外面と周囲床面の汚染を防止する。また側壁包囲部１３ａ，１３ｂを設けることで、給水装置１５が供給する洗浄水の水膜流を側壁端縁１４ｅ、１４ｆに沿って流すことが可能となり、水膜流は側壁包囲部１３ａ，１３ｂの連通空間によりボール部１２内に収容され、洗浄水の主流と共に排水口１１から排出される。したがって側壁端縁とそれに続く側壁内面はくまなく洗浄できるようになる。なお、上記においてボール部内に位置される端縁を含む側壁の一部の下端はボール部周壁上端部より下方のボール部内に延びるものとしたが、この下端は、上面より見てボール部内に位置する限り、側面より見てボール部周壁上端部と同じ高さか上端部より高い位置にしても、受面部１４上端部から流下する尿滴や洗浄水はボール部内に捕捉されるので、本発明の効果に支障はない。
【００１７】
また、上記した給水装置１５としては、受面部中央に設けて左右横方向から下方向まで拡がる水膜流を受面部内周面に沿って生成するスプレッダーを使用し得るが、その場合、横方向の水勢は受面部側壁端面１４ｃ、１４ｄを超えて飛ぶことのない様制御される。スプレッダーに代えて、受面部１４の内周面の上端部全周に内周面に沿い下方に洗浄水を流す吐水管を設置すれば水勢制御を容易としつつ、非洗浄域の払拭が容易に図れる。
【実施例３】
【００１８】
図３Ａから図３Ｅに示す本発明の実施例３においては、水洗小便器２０も実質的に実施例１の構成と同じように構成された側壁包囲部２３ｄ，２３ｅを、受面部２４の側壁端縁２４ｃ、２４ｄの下端部分２４ｇ、２４ｈの外側に備え、側壁端縁ないしそれに続く側壁部分を上面より見てボール部内に位置させるが、本実施例３の特徴として、側壁包囲部２３ｄ，２３ｅを含むボール部２２の前方部分の周壁２３は上部周壁２３ａと下部周壁２３ｂに分けられ、図３Ｂに示すＡ−Ａ線の断面である図３Ｃに見られるように上部周壁２３ａの略下半分が下部周壁２３ｂの上縁部分の内側に、隙間を開けて配置される。その隙間は、周壁上端部２３ｆと略平行に左右の側壁包囲部２３ｄ，２３ｅ間にわたって延び、上部周壁２３ａの外周面から下部周壁２３ｂの内周面、つまり、ボール部２２内に連通し、周壁上端部２３ｆから外周面に沿って流下する尿滴をボール部内に収容する収水路２３ｃとして機能する。したがって収水路２３ｃを形成する間隔の厚みは、流下する尿滴の厚さを超えるものでなければならず５〜２０ｍｍ程の厚みが望ましいがこれに限定されるものではない。また上部周壁２３ａの外周面は臨界表面張力が２０dyne/cm以上、望ましくは４０dyne/cm以上の親水性材料、更に望ましくは光触媒粒子を含有することで臨界表面張力を２０dyne/cm以上、望ましくは４０dyne/cm以上とした親水性材料で形成し、壁面の濡れ性を高めることで、流下尿滴の壁面からの落下を防ぎ、尿滴のボール部内への収容を確実にすることが更に望ましい。
【００１９】
側壁包囲部２３ｄ，２３ｅにより外側を囲まれた側壁端縁２４ｅ，２４ｆの下端部分２４ｇ、２４ｈは図３ＢのＢ−Ｂ線の部分拡大断面図である図３Ｄに示すように、側壁包囲部２３ｄ，２３ｅにおける上部周壁２３ａの内周面と隙間を介して対向する。したがって、実施例２の場合と同じく、側壁包囲部２３ｄ，２３ｅは側壁端縁２４ｅ、２４ｆの外周面に向けて上方に開口し、下方にはボール部２２の内部に連通する空間を区画するから、側壁端縁２４ｅ，２４ｆとそれらに続く下端部分に沿って流下する尿滴と洗浄水の水膜流はこの連通空間に流れ、ボール部内に導かれ、排水口２１から排出される。尚、上部周壁２３ａの外周面を図３Ｃ，３Ｄでは直線平面的に図示したが、なだらかな曲面やＳ字曲面で構成しても構わない。
【００２０】
加えて、収水路２３ｃによる上部周壁２３ａと下部周壁２３ｂの設置は、側壁包囲部２３ｄ，２３ｅの部分における上部周壁２３ａの上端部２３ｆから上部周壁外周面へ流下した尿滴を収水路２３ｃによりボール部内部へ収容するという機能を、側壁包囲部２３ｄ，２３ｅに与えることになる。
【００２１】
側壁端縁の洗浄と、側壁包囲部を含むボール部周壁の上端部２３ｆから上部周壁２３ａの外面に沿う収水路２３ｃへの尿滴収容とを意図する本実施例３の構成を考慮すれば、図３Ｅの部分拡大斜視図に示す溢水構成により、ボール部と受面部の全上端部からの給水と洗浄を行なうことが望ましい。図３Ｅは受面部２４の上端部、特に端面２４ｃ、２４ｄ付近の部分を示すが、後述する外側障壁２４ｋ以外は、ボール部周壁２３、特に上部周壁２３ａの上端部２３ｆにもそのまま適用し得る。
【００２２】
図３Ｅにおいて、受面部２４の上端には、その全長に亘って内部にパイプ状の給水路２４ｉを形成し、この給水路２４ｉの全長に、上方に開口する溝または複数の孔でなる溢水口２４ｊを設け、受面部上端の中央で外部からの給水管に給水路２４ｉを接続する。受面部側壁の端面２４ｃ，２４ｄに隣接し下部が側壁包囲部２３ｄ，２３ｅに囲まれた側壁２４ａ，２４ｂの部分（図の手前部分）は、受面部上端において断面を例えば半円形に形成して、溢水口２４ｊから洗浄水を溢水させて内周面側と外周面側とに分かれて流れるようにする。受面部側壁の端面２４ｃ，２４ｄの上端において給水路２４ｉを閉じる端壁には、例えば溢水口２４ｊの端部からの横向きの溢水を下向きに変える水路を設けて、受面部側壁の端面２４ｃ，２４ｄに洗浄水を給水する。側壁包囲部２３ｄ，２３ｅより後方の受面部２４では外周面に溢水させる必要はないから、溢水口２４ｈの外周面側には外側障壁２４ｋを設けて、外周面への溢水を阻止し、内周面にのみ溢水させることにより、受面部２４の内周面全般を洗浄することができる。
【００２３】
上記の受面部壁面に対する溢水による洗浄方式は、そのままボール部周壁面の洗浄にも適用可能である。図示は省くが、図３Ｅに示すものと同様に、ボール部の上部周壁２３ａの上端部２３ｆの内部に、一方の側壁包囲部２３ｄから他方の側壁包囲部２３ｅまでの全周に亘って、上方に開口する溢水口を有する給水路を設け、溢水した洗浄水が上部周壁２３ａの内外周面に流れるようにする。外周面に流れた溢水流は外周面に付着する尿滴を洗浄し、ボール部周壁上端面より下方に設けられた周壁の上端面とほぼ平行で内方下向きの収水路２３ｃを介して下部周壁２３ｂの内面、つまりボール部内部に流れる。上部周壁２３ａの内周面に流れた溢水流はその内周面を洗浄し、下端縁から下部周壁２３ｂの内面に流下して、外周面を洗浄した洗浄水と合流する。このように、溢水による洗浄方式は、側壁を含む受面部とボール部との全内面をくまなく、非洗浄域を生じることなく洗浄可能とする。ボール部用の給水路は例えば一方の側壁包囲部２３ｄ側の端部において外部の給水管からの洗浄水供給を受けるようにする。なお、溢水構成を採用する場合には、溢水口を持つ給水路を設置するボール部と受面部の上端部はその長さ方向において実質的に水平に設けられることが望ましいが、連続して開口する溝ではなく、適宜形状とした複数の孔あるいはスリットを用いれば傾斜する上端部とすることも可能である。
【００２４】
上記した実施例２においては側壁包囲部２３ｄ，２３ｅはボール部周壁の上端部２３ｆと同じ高さに設けられるが、別の実施形態として、側壁包囲部２３ｄ，２３ｅを受面部の側壁２４ａ，２４ｂと同じ高さとし、側壁２４ａ，２４ｂと平行して外側全面を覆うように立設しても良い。これにより、使用者の立ち位置からの飛散尿の密度が高い側壁の付け根付近が二重になり、内側の側壁２４ａ，２４ｂの外側に飛散した尿滴は外側に立設した側壁包囲部２３ｄ，２３ｅによって捕捉される。勿論、外側に立設する側壁包囲部の高さは内側の側壁より低くしても良く、要は、側壁端面の付け根付近を外側から覆うようにすることである。
【００２５】
更に、上記実施例では側壁を含めて上面から見た受面部の径、特に左右の側壁間の距離を上下方向において略一定とした受面部の使用を前提とするに対して、別の実施形態においては受面部上端における径を下端部の径より大きくした受面部を用いても良い。その場合、平面図で表せば、側壁端縁の小径の下端ないし下端部分はボール部周壁で外側から包囲されることによりボール部内に位置するに対し、側壁端縁を含む受面部の大径の上端はボール部外に位置することもあり得るが、その場合も本発明の効果は発揮される。
【００２６】
また、受面部内周面の洗浄については、上記した受面部上端部からの溢水による洗浄方式に代えて、一方の側壁端縁から受面部内周面に沿って他方の側壁端縁まで横方向に洗浄水の旋回流を流す方式を採用することもできる。その場合、給水装置は、受面部側壁の各端縁に沿って洗浄水の水膜流を流下させる端縁流下手段と受面部上端部の一方の端面の内側から他方の端面の内側まで受面部内周面を横切る旋回流を生じさせる旋回流手段とを備える。望ましくは他方の端縁内側に旋回流を阻止する手段を設ける。また更に、この片側からの旋回流手段に代えて、受面部側壁の左右両端面の内側から受面部内周面に沿いそれぞれ中央部に向けて互いに対向する洗浄水を吐出する対向流吐出手段とし、左右側壁内周面の正面を横方向に流れる洗浄水を受面部の中央で合流させ、ボール部に流れ込む様にすることもできる。
【００２７】
なお、本実施例３における排水系の別の実施形態を示す図３Ｆについて述べれば、ここではボール部周壁は上部周壁２５ａと下部周壁２５ｂとにより二重構造に形成され、これら上部周壁２５ａと下部周壁２５ｂの間の隙間で形成される収水路２５ｃは、上部周壁２５ａの上端部２５ｆからボール部周壁外周面に流下する尿滴 ないし溢水水膜流を、排水口２１の下流に設けたトラップ２１ａに導くように構成される。  
【実施例４】
【００２８】
図４Ａおよび図４Ｂに本発明による実施例４の水洗小便器３０を示す。実施例２および実施例３では、受面部の側壁端縁の下部または全面を外側から取り囲む側壁包囲部が、ボール部周壁の一部を曲線的または直線的に外方に張り出させることによって形成されるに対して、実施例４においてはボール部３２の周壁３３は平滑な連続面を保持し、代わりに、受面部３４の側壁３４ａ，３４ｂの端面３４ｃ，３４ｄとこれに続く端縁３４ｅ，３４ｆを内方に湾曲させて端縁をボール部３２の内部に位置させると共に、湾曲部分の下端をボール部周壁の上端部３３ａから切離して側壁包囲部３３ｂ，３３ｃを形成する。これによって受面部３４の受面部上端部に設けられる給水装置３５から側壁内面に広がる水膜流の一部は端縁と湾曲部分の内周面を洗浄し、側壁包囲部３３ｂ，３３ｃからボール部内に流れ落ちる。
【００２９】
図では側壁の全高に亘って端縁を湾曲させているが、例えば側壁３４ａ，３４ｂの全高の約３分の１程度の位置から徐々に内方に湾曲させ、側壁包囲部３３ｂ，３３ｃから切り離された部分で最大に湾曲させても良いことは言うまでもない。また、図では、湾曲部分の下端をボール部周壁の上端部３３ａと同じ高さにしてあるが、上端部３３ａより下方のボール部内の位置としても良い。また、側壁側のみを内側に湾曲させるのでなく、ボール部周壁の側壁包囲部３３ｂ，３３ｃをも外側に張り出させるようにしても良い。
【図面の簡単な説明】
【００３０】
【図１Ａ】本発明の実施例１における水洗小便器の平面図
【図１Ｂ】使用者立ち位置からの飛散尿滴の平面図上の軌跡の一例。
【図１Ｃ】典型的従来タイプの小便器と飛散尿滴の平面図上の軌跡の一例。
【図２Ａ】本発明の実施例２における水洗小便器の斜視図。
【図２Ｂ】図２Ａの水洗小便器の平面図。
【図３Ａ】本発明の実施例３における水洗小便器の斜視図。
【図３Ｂ】図３Ａの水洗小便器の平面図。
【図３Ｃ】図３ＢのＡ−Ａ線における中央断面図。
【図３Ｄ】図３ＢのＢ−Ｂ線における部分断面拡大図。
【図３Ｅ】図３Ａの水洗小便器の１実施形態における受面部上端部の部分拡大斜視図。
【図３Ｆ】実施例３における排水系の別の実施形態を示す水洗小便器の部分断面図。
【図４Ａ】本発明の実施例４における水洗小便器の斜視図。
【図４Ｂ】図４Ａの水洗小便器の平面図。
【符号の説明】
【００３１】
２      ボール部
３      ボール部周壁
４      受面部
１０    水洗小便器
１１    排水口
１２    ボール部
１３    ボール部周壁
１３ａ、１３ｂ    側壁包囲部
１３ｃ    上端部
１４      受面部
１４ａ、１４ｂ    側壁
１４ｃ、１４ｄ    端面
１４ｅ、１４ｆ    端縁
１５    給水装置
２０    水洗小便器
２１    排水口
２２    ボール部
２３    ボール部周壁
２３ａ  上部周壁
２３ｂ  下部周壁
２３ｃ  収水路
２３ｄ、２３ｅ    側壁包囲部
２３ｆ  上端部
２４    受面部
２４ａ、２４ｂ    側壁
２４ｃ、２４ｄ    端面
２４ｅ、２４ｆ    端縁
２４ｇ、２４ｈ    下端部分
２４ｉ  給水路
２４ｊ  溢水口
２４ｋ  外側障壁
２５ａ  上部周壁
２５ｂ  下部周壁
２５ｃ  収水路
２１ａ  トラップ
２５ｆ  上端部
３０    水洗小便器
３１    排水口
３２    ボール部
３３    ボール部周壁
３３ａ  上端部
３３ｂ、３３ｃ    側壁包囲部
３４    受面部
３４ａ、３４ｂ    側壁
３４ｃ、３４ｄ    端面
３４ｅ、３４ｆ      端縁
３５    スプレッダー
【図１Ａ】
2010101117.tif 000003
【図１Ｂ】
2010101117.tif 000004
【図１Ｃ】
2010101117.tif 000005
【図２Ａ】
2010101117.tif 000006
【図２Ｂ】
2010101117.tif 000007
【図３Ａ】
2010101117.tif 000008
【図３Ｂ】
2010101117.tif 000009
【図３Ｃ】
2010101117.tif 000010
【図３Ｄ】
2010101117.tif 000011
【図３Ｅ】
2010101117.tif 000012
【図３Ｆ】
2010101117.tif 000013
【図４Ａ】
2010101117.tif 000014
【図４Ｂ】
2010101117.tif 000015